(57)【要約】【課題】ガス流路の入口路に調整弁と、遮断弁とを容易に組み付けることができると共に、調整弁の開き不良や遮断弁の閉鎖不良を防止することができるダイヤフラム式圧力調整器を提供する。【解決手段】調整器本体１内に圧力調整室１１と、大気圧室５１とを区画形成するダイヤフラム６０が配設される。ダイヤフラム６０の中心部には、接続体７０が配設されると共に、接続体７０の下面には、離反用ばね７９の付勢力にして吸着する永久磁石７８を介して吊下体７５が上下方向へ接離可能に配設される。入口路１３には、調整弁３０と、遮断弁４０とがそれぞれ個別に配設される。調整弁４０は、吊下体７５の昇降動作に伴って作動される作動レバー８０に接続される。遮断弁４０は、戻しばね４６の付勢力によって開き位置に保持され、かつ調整弁４０が全開されたときの入口路１３に対するガスの流圧を受けて戻しばね４６の付勢力に抗して閉じる。【選択図】図１
2012238196.tif 000002
【特許請求の範囲】
【請求項１】
調整器本体内には、ガスの入口路と出口路とを連通状に有する圧力調整室と、大気に連通する大気圧室とを区画形成するダイヤフラムが配設され、
前記ダイヤフラムの中心部には、接続体が配設されると共に、前記接続体の下面には、離反用ばねの付勢力にして吸着する永久磁石を介して吊下体が上下方向へ接離可能に配設され、
前記入口路には、前記圧力調整室のガス圧を調整する調整弁と、前記入口路を遮断する遮断弁とがそれぞれ個別に配設され、
前記調整弁は、前記吊下体の昇降動作に伴って作動される作動レバーに接続され、
前記遮断弁は、戻しばねの付勢力によって開き位置に保持され、かつ前記調整弁が全開されたときの前記入口路に対するガスの流圧を受けて前記戻しばねの付勢力に抗して閉じるように設定されていることを特徴とするダイヤフラム式圧力調整器。
【請求項２】
請求項１に記載のダイヤフラム式圧力調整器であって、
永久磁石は、吊下体の上面よりも小さい外径を有して前記吊下体の外周からはみ出すことなく前記吊下体の上面に固定される一方、
離反用ばねは、一端部がダイヤフラムの接続体の外周面に巻かれて固定され、他端部が前記吊下体の外周面に巻かれて固定された圧縮コイルばねによって形成され、前記離反用ばねが前記吊下体を昇降案内する機能を有していることを特徴とするダイヤフラム式圧力調整器。
【発明の詳細な説明】
【技術分野】
【０００１】
この発明はダイヤフラム式圧力調整器に関する。
【背景技術】
【０００２】
ダイヤフラム式圧力調整器は、通常の使用時において、調整器本体内に配設された圧力調整室と、大気圧室とを区画形成するダイヤフラムの動きによって調整弁の開き量を調整することで圧力調整室内のガス圧を設定範囲内に保つようになっている。
また、例えば、圧力調整室に通じる入口路に、圧力調整室のガス圧を調整する調整弁の他、入口路を遮断する遮断弁が配設された構造のものが知られている（例えば、特許文献１参照）。
特許文献１に開示されたダイヤフラム式圧力調整器においては、図１２に示すように、調整器本体１０１内に配設されたて圧力調整室１１２と、大気圧室１５１とを区画形成するダイヤフラム１６０の中心部に接続体１７０が配設される。
また、接続体１７０の下面には、永久磁石１７８を上端部に固定した吊下体１７５が接離可能に配設される。
吊下体１７５は、位置決め案内部材１００によって位置決めされた状態で上下方向へ移動案内される。
また、吊下体１７５の軸回りには、その鍔部１７５ａと位置決め案内部材１００との間に位置してばね１７９が配設されている。
また、内外二つの弁ゴム１３０、１４０を有する連結ロッド１０２の延出端部１０３と吊下体１７５との間には、吊下体１７５の昇降動作に伴って作動される作動レバー１８０が配設される。
そして、圧力調整室１１２に通じる入口路１１４のガス圧が設定範囲よりも小さくなったときや、圧力調整室１１２に通じる出口路１２１の内のガス圧が設定範囲よりも大きくなったときに弁ゴム１４０によって入口路を遮断するようになっている。
【先行技術文献】
【特許文献】
【０００３】
【特許文献１】中国実用新案登録公報、第ＺＬ２００８２００２９９７６．１
【発明の概要】
【発明が解決しようとする課題】
【０００４】
ところで、前記した構造をもつダイヤフラム式圧力調整器においては、連結ロッド１０２の軸上に、内外二つの弁ゴム１３０、１４０が位置ずれして固定されると、開き不良や遮断不良が発生し易くなり、内外二つの弁ゴム１３０、１４０を正確に固定して配設する必要がある。
さらに、調整器本体１０１の圧力調整室１１２に通じる入口路１１４に対し内外二つの弁ゴム１３０、１４０を有する連結ロッド１０２を組み付け、この連結ロッド１０２の延出端部１０３を作動レバー１８０に組み付けなけらばなわず、その組み付けが厄介となる。
【０００５】
この発明の目的は、前記問題点に鑑み、ガス流路の入口路に調整弁と、遮断弁とを容易に組み付けることができると共に、遮断弁の遮断不良を防止することができるダイヤフラム式圧力調整器を提供することである。
【課題を解決するための手段】
【０００６】
前記課題を解決するために、この発明の請求項１に係るダイヤフラム式圧力調整器は、調整器本体内には、ガスの入口路と出口路とを連通状に有する圧力調整室と、大気に連通する大気圧室とを区画形成するダイヤフラムが配設され、
前記ダイヤフラムの中心部には、接続体が配設されると共に、前記接続体の下面には、離反用ばねの付勢力にして吸着する永久磁石を介して吊下体が上下方向へ接離可能に配設され、
前記入口路には、前記圧力調整室のガス圧を調整する調整弁と、前記入口路を遮断する遮断弁とがそれぞれ個別に配設され、
前記調整弁は、前記吊下体の昇降動作に伴って作動される作動レバーに接続され、
前記遮断弁は、戻しばねの付勢力によって開き位置に保持され、かつ前記調整弁が全開されたときの前記入口路に対するガスの流圧を受けて前記戻しばねの付勢力に抗して閉じるように設定されていることを特徴とする。
【０００７】
前記構成によると、調整弁と、遮断弁とをそれぞれ別体とし、調整弁は、吊下体の昇降動作に伴って作動される作動レバーに接続し、遮断弁は、戻しばねの付勢力によって開き位置に保持するようにして、ガス流路の入口路に対し調整弁と、遮断弁とを容易に組み付けることができる。
また、通常の使用時には、ダイヤフラムの動きが接続体と、永久磁石と、吊下体介して作動レバーに伝達され、これによって調整弁の開き量が調整されることで圧力調整室内のガス圧が設定範囲内に保たれる。
圧力調整室に通じる入口路のガス圧が設定範囲よりも小さくなったときには、ダイヤフラムによって、接続体と共に、同接続体に吸着された永久磁石と一体に吊下体が下降端位置まで下降される。これに連動する作動レバーによって調整弁が全開位置に配置される。
すると、入口路に流入するガスの流圧を受けて遮断弁が戻しばねの付勢力に抗して全閉位置に配置され、これによって入口路を遮断する。
圧力調整室に通じる出口路のガス圧が設定範囲よりも大きくなったときには、ダイヤフラムによって接続体が、吊下体の永久磁石の吸引力に抗して上昇される。
一方、離反用ばねの付勢力によって吊下体が下降端位置まで下降されることで作動レバーを介して調整弁が全開位置に配置される。
すると、入口路に流入するガスの流圧を受けて遮断弁が戻しばねの付勢力に抗して全閉位置に配置され、入口路を遮断するため、遮断弁の遮断不良を防止することができる。
【０００８】
請求項２に係るダイヤフラム式圧力調整器は、請求項１に記載のダイヤフラム式圧力調整器であって、
永久磁石は、吊下体の上面よりも小さい外径を有して前記吊下体の外周からはみ出すことなく前記吊下体の上面に固定される一方、
離反用ばねは、一端部がダイヤフラムの接続体の外周面に巻かれて固定され、他端部が前記吊下体の外周面に巻かれて固定された圧縮コイルばねによって形成され、前記離反用ばねが前記吊下体を昇降案内する機能を有していることを特徴とする。
【０００９】
前記構成によると、離反用ばねは吊下体を昇降案内する機能を発揮する。これによって、吊下体を昇降案内するための専用の案内部材を製作して、圧力調整室内に組み付ける手間を省くことができ、この分だけ部品点数や組付工数を減らすことができ、コスト低減に効果が大きい。
【図面の簡単な説明】
【００１０】
【図１】この発明の実施例１に係るダイヤフラム式圧力調整器を示す縦断面図である。
【図２】同じく調整弁を示す斜視図である。
【図３】同じく遮断弁を示す斜視図である。
【図４】同じく通常の使用時において、ダイヤフラムの動きによって調整弁の開き量が調整されることで圧力調整室内のガス圧が設定範囲内に保たれる状態を示す縦断面図である。
【図５】同じく圧力調整室内のガス圧が設定範囲よりも小さくなったときに、調整弁が全開位置に配置された状態を示す縦断面図である。
【図６】同じく調整弁が全開位置に配置され、入口路側から流入されるガスの流圧によって遮断弁が戻しばねの付勢力に抗して全閉位置に配置された状態を示す縦断面図である。
【図７】同じく操作軸によってダイヤフラムと共に作動レバーを引き上げて調整弁を全閉位置に配置し、遮断弁を開き位置に配置してリセットした状態を示す縦断面図である。
【図８】同じく圧力調整室内のガス圧が設定範囲よりも大きくなったときにダイヤフラムによって接続体が吊下体の永久磁石から離反して上昇される状態を示す縦断面図である。
【図９】同じく接続体が吊下体の永久磁石から離反して上昇されると共に、離反用ばねによって吊下体が下降端位置まで下降されて調整弁が全開位置に配置された状態を示す縦断面図である。
【図１０】同じく調整弁が全開位置に配置され、入口路側から流入されるガスの流圧によって遮断弁が戻しばねの付勢力に抗して全閉位置に配置された状態を示す縦断面図である。
【図１１】同じく圧力調整室内のガス圧が設定範囲よりも小さくなり、ダイヤフラムによって接続体が下降端位置にある吊下体の永久磁石に吸着された状態を示す縦断面図である。
【図１２】従来のダイヤフラム式圧力調整器を示す縦断面図である。
【発明を実施するための形態】
【００１１】
この発明を実施するための形態について実施例にしたがって説明する。
【実施例１】
【００１２】
この発明の実施例１を図１〜図１１にしたがって説明する。
図１に示すように、ダイヤフラム式圧力調整器の本体部をなす調整器本体１内には、圧力調整室（圧力調整室）１１と、大気に連通する大気圧室５１とを区画形成するダイヤフラム６０が配設される。
この実施例１において、調整器本体１は、ケース体１０と、このケース体１０にダイヤフラム６０の周縁部を挟んで取り付けられるカバー体５０とを備えている。そして、ケース体１０側に圧力調整室１１が、カバー体５０側に大気圧室５１が区画形成される。
【００１３】
ケース体１０の一端部には、圧力調整室１１の上流側に通じる入口路１３を有する入口側接続具１２が装着されている。この入口側接続具１２の入口路１３の中間部には、ノズル孔１６を中心部に有するノズル部１５と、このノズル部１５の上流側に連通するばね室１８とが隣接して形成されている。そして、ノズル部１５の先端には、調整弁３０に対する第１の弁座１７が形成され、ばね室１８の上流側開口部には遮断弁４０に対するテーパ孔状の第２の弁座１９が形成されている。
また、ケース体１０の他端部には、圧力調整室１１の下流側に通じる出口路２１を有する出口側接続部２０が一体に延出されている。
【００１４】
入口側接続具１２の入口路１３内の下流側には、圧力調整室１１のガス圧を調整する調整弁３０が配設されている。
図１と図２に示すように、調整弁３０は、弁本体３１と、弁部３２と、接続部３３とを備えている。そして、弁本体３１の外周面には、ガスの通過を許容する複数のガス溝３１ａが軸方向に形成されている。
また、弁部３２は、ゴム、樹脂等に弾性体よりなり、弁本体３１の一端部に装着され、かつ第１の弁座１７に接離可能に対向している。
接続部３３は、弁本体３１の他端部から突出され、後述する作動レバー８０に接続される。
【００１５】
図１に示すように、入口側接続具１２の入口路１３内の上流側には、入口路１３を遮断する遮断弁４０が配設され、遮断弁４０よりもさらに上流側に位置する入口路１３の開口部近傍にはフィルタ１４が配設されている。
図１と図３に示すように、遮断弁４０は、弁本体４１と、リブ体４２と、弁部４４と、先端軸部４５とを備えている。
弁本体４１は、一端（入口路１３の上流側）が大径で他端（入口路１３の下流側）が小径のペーパ軸状に形成され、その大径部分の外周面には環状溝４３が形成され、小径部の端面には、先端軸部４５が調整弁３０の弁部３２に向けて接離可能に突設されている。
リブ体４２は、弁本体４１の一端部から入口路１３の上流側に向けて延出され、かつ入口路１３の開口部からのガスの流入を阻害することがないように横断面十字に形成されている。
弁部４４は、ゴム、樹脂等に弾性体よりなるＯリングによって形成され、弁本体４１の環状溝４３に嵌込まれて装着されている。
そして、遮断弁４０は、その弁本体４１の小径部とばね室１８との間に組み込まれた戻しばね４６の付勢力によって開き位置に保持される。
また、遮断弁４０は、ガス供給源からのガスの流圧が設定値以上となったときには、遮断弁４０の弁本体４１の大径部端面においてガスの流圧を受けかつ戻しばね４６の付勢力に抗して閉じ位置（すなわち、遮断弁４０の弁部４４が第２の弁座１９に密接する位置）まで移動されるようになっている。
【００１６】
一方、図１に示すように、カバー体５０の上部中央部には、上方に開口する円筒状の筒部５０ａが突設されている。そして、筒部５０ａには、蓋部材５５が装着されている。
また、ダイヤフラム６０の上面には、円板状の上支持板６１が配設され、この上支持板６１には、ばね受用突輪部６２が形成されている。
そして、蓋部材５５の内面（下面）と、上支持板６１のばね受用突輪部６２との間には、圧縮コイルばねよりなる加圧用ばね６５が配設されている。
【００１７】
ダイヤフラム６０の中心部近傍には接続体７０が配設されている。
接続体７０は、鉄等の強磁性体によって形成されると共に、小径の軸部７１と、大径のフランジ部７２とを上下部に同一中心線上に有している。
また、接続体７０の軸部７１は、ダイヤフラム６０の中心部及び上支持板６１の中心部を貫通して大気圧室５１内に突出している。
また、上支持板６１の中心部上面には、挟持体７３が配設されている。そして、蓋部材５５の上方から同蓋部材５５の中心部を貫通して挿入された操作軸９０の下部が挟持体７３を通して前記軸部７１の中心部にねじ込まれることによって、ダイヤフラム６０と、接続体７０と、操作軸９０とが相互に連結されるようになっている。
蓋部材５５の上面から突出され操作軸９０の上部には、操作軸９０と共に、接続体７０を引き上げ操作するためのつまみ９１が形成されている。
また、蓋部材５５の上面には、操作軸９０のつまみ９１上方を覆い隠すようにしてキャップ部材９２が取り外し可能に装着されている。
【００１８】
接続体７０のフランジ部７２の下面には、離反用ばね７９の付勢力に抗して吸着する永久磁石７８を介して吊下体７５が上下方向へ接離可能に配設される。
吊下体７５は、接続体７０のフランジ部７２とほぼ同径のフランジ部７７と、小径の軸部７６とを上下部に有し、フランジ部７７の上面には、その外周にはみ出すことがないように永久磁石７８が固定されている。
この実施例１において、永久磁石７８は、中心孔７８ａを有する円環状に形成され、締め付けネジ９５が永久磁石７８の上方から中心孔７８ａを通してフランジ部７７にねじ込まれることによって、フランジ部７７の上面に永久磁石７８が締め付け固定される。
また、この実施例１において、離反用ばね７９は、その一端部が接続体７０のフランジ部７２の外周面に巻かれて固定され、他端部が吊下体７５のフランジ部７７の外周面に巻かれて固定された圧縮コイルばねによって形成されている。そして、離反用ばね７９は、吊下体７５を上下方向に昇降案内する機能を有している。
【００１９】
吊下体７５の軸部７６と、調整弁３０のとの間には、吊下体７５の昇降動作を調整弁３０に伝達する作動レバー８０が配設されている。
この作動レバー８０は、その一端部寄りの下部がケース体１０の一端寄り内面に支持ピン８１を中心として回動可能に組み付けられている。
作動レバー８０の一端部には、湾曲状に切り込まれた連動部８３が形成され、この連動部８３は、調整弁３０の接続部３３に配設された連動ピン８２に移動可能に係合される。
また、作動レバー８０の他端部は、吊下体７５の軸部７６の二股部に挿入される位置まで延出され、その延出端部の下部には湾曲状の切り欠かれた連動部８５が形成され、この連動部８５は、吊下体７５の軸部７６の二股部に配設された連動ピン８６に移動可能に係合される。
【００２０】
この実施例１に係るダイヤフラム式圧力調整器は上述したように構成される。
したがって、通常の使用時には、図４に示すように、圧力調整室１１と大気圧室５１との圧力差に基づくダイヤフラム６０の動きが接続体７０と、永久磁石７８と、吊下体７５とを介して作動レバー８０に伝達される。そして、作動レバー８０の支持ピン８１を回動中心とする動きによって調整弁３０の開き量が調整される。これによって、圧力調整室１１内に流入するガス量が加減されることで圧力調整室１１内のガス圧が設定範囲内に保たれる。
【００２１】
圧力調整室１１に通じる入口路１３のガス圧が設定範囲よりも小さくなったときには、図５に示すように、加圧用ばね６５の弾発力によってダイヤフラム６０が押し下げられ、このダイヤフラム６０によって、接続体７０と共に、同接続体７０に吸着された永久磁石７８と一体に吊下体７５が下降端位置まで下降される。これに連動する作動レバー８０によって調整弁３０が全開位置に配置される。
すると、図６に示すように、入口路１３側から流入されるガスの流圧によって遮断弁４０が戻しばね４６の付勢力に抗して全閉位置に配置される。これによって、入口路１３が遮断され、ガスの供給が止められる。
なお、ガスの供給が止められると出口路２１に接続されるガス器具が使用不能となるため、ガス器具の使用者は、ガス供給業者に連絡する。
【００２２】
また、ガス器具を使用可能にダイヤフラム式圧力調整器をリセットする場合、キャップ部材９２を取り外した後、図７に示すように、操作軸９０を引き上げる。これによって、作動レバー８０を介して調整弁３０が全閉位置に配置切り替えされる。また、遮断弁４０が戻しばね４６の付勢力によって元の開き位置に配置される。
【００２３】
次に、ガス器具を使用していない状態において、ノズル部１５の第１の弁座１７と、調整弁３０の弁部３２との間に異物が不測に挟まれ、調整弁３０が僅かに開くと、圧力調整室１１内のガス圧が設定範囲よりも大きくなる。
圧力調整室１１に通じる出口路２１のガス圧が設定範囲よりも大きくなったときには、図８に示すように、先ず、ダイヤフラム６０が加圧用ばね６５の付勢力に抗して上昇端位置まで上昇する。すると、ダイヤフラム６０と共に接続体７０が、吊下体７５の永久磁石７８の吸引力に抗して上昇し、接続体７０と、吊下体７５の永久磁石７８とが離反する。
すると、図９に示すように、離反用ばね７９の付勢力によって吊下体７５が下降端位置まで下降される。これに連動する作動レバー８０によって調整弁３０が全開位置に配置される。
すると、図１０に示すように、入口路１３側から流入されるガスの流圧によって遮断弁４０が戻しばね４６の付勢力に抗して全閉位置に配置され、入口路１３を遮断する。
【００２４】
図１０に示すように、遮断弁４０によって入口路１３が遮断された状態でガス器具を使用すると、圧力調整室１１内のガス圧が設定範囲よりも小さくなり、ガス器具が使用不能となる。すると、図１１に示すように、加圧用ばね６５の付勢力によってダイヤフラム６０と共に接続体７０が下降端位置まで下降する。
これによって、下降端位置ある吊下体７５の永久磁石７８に接続体７０が吸着される。
また、ガス器具を使用可能にダイヤフラム式圧力調整器をリセットする場合、前記したようにして、キャップ部材９２を取り外した後、図７に示すように、操作軸９０を引き上げることによって、調整弁３０が全閉位置に配置切り替えされ、遮断弁４０が戻しばね４６の付勢力によって元の開き位置に配置される。
【００２５】
前記したように、調整器本体１の圧力調整室１１のガス圧を調整する調整弁３０と、入口路１３を遮断する遮断弁４０とをそれぞれ別体とし、調整弁３０は、吊下体７５の昇降動作に伴って作動される作動レバー８０に接続し、遮断弁４０は、戻しばね４６の付勢力によって開き位置に保持するようにして、入口路１３に対し遮断弁４０と、遮断弁４０とを容易に組み付けることができると共に、遮断弁４０の遮断不良を防止することができる。
【００２６】
また、この実施例１において、永久磁石７８は、吊下体７５のフランジ部７７上面よりも小さい外径を有してフランジ部７７の外周からはみ出すことなくフランジ部７７の上面に固定される。
また、離反用ばね７９は、一端部がダイヤフラム６０の接続体７０のフランジ部７２の外周面に巻かれて固定され、他端部が吊下体７５のフランジ部７７の外周面に巻かれて固定された圧縮コイルばねによって形成される。これによって、離反用ばね７９は、吊下体７５を昇降案内する機能を発揮する。
このため、吊下体７５を昇降案内するための専用の案内部材を製作して、圧力調整室１１内に組み付ける手間を省くことができ、この分だけ部品点数や組付工数を減らすことができ、コスト低減に効果が大きい。
【００２７】
なお、この発明は前記実施例１に限定するものではなく、この発明の要旨を逸脱しない範囲内において、種々の形態で実施することができる。
【符号の説明】
【００２８】
１  調整器本体
１１  圧力調整室
１３  入口路
２１  出口路
３０  調整弁
４０  遮断弁
４６  戻しばね
５１  大気圧室
６０  ダイヤフラム
６５  加圧用ばね
７０  接続体
７５  吊下体
７７  フランジ部
７９  離反用ばね
８０  作動レバー
９０  操作軸
９２  キャップ部材
【図１】
2012238196.tif 000003
【図２】
2012238196.tif 000004
【図３】
2012238196.tif 000005
【図４】
2012238196.tif 000006
【図５】
2012238196.tif 000007
【図６】
2012238196.tif 000008
【図７】
2012238196.tif 000009
【図８】
2012238196.tif 000010
【図９】
2012238196.tif 000011
【図１０】
2012238196.tif 000012
【図１１】
2012238196.tif 000013
【図１２】
2012238196.tif 000014